(57)【特許請求の範囲】
【請求項１】
映像信号を記録する映像信号記録方法であって、
上記映像信号は、表示用画像情報を含む有効画像区間と、複数ビットのモード番号及び上記モード番号と関連した複数ビットのデータ又はデータフラグからなる垂直ブランキング区間データ（ＶＢＩＤ）を含む非画像区間とを有し、
上記複数ビットのモード番号の分類機能によって上記複数ビットのデータ又はデータフラグの所定のビットが異なる情報を表すように、上記複数ビットのモード番号は、上記複数ビットのデータ又はデータフラグをデータ又はフラグとして選択的に分類し、
上記表示用画像情報に著作権があるか否かを示す著作権情報を生成するステップと、
上記表示用画像に著作権がある場合に、上記処理された映像信号から生成されるコピーが一世代生成可能か否かを示す世代情報を生成するステップと、
上記複数ビットのモード番号が上記関連する複数ビットのデータ又はデータフラグをフラグとして分類するとき、上記著作権情報及び上記世代情報を上記所定のビットに割り当て、上記処理された映像信号を記録媒体に記録するステップとからなる映像信号記録方法。
【請求項２】
上記映像信号はライン区間を有し、上記著作権情報及び上記世代情報は、それぞれ異なるライン区間における上記ＶＢＩＤデータに重畳されていることを特徴とする請求項１に記載の映像信号記録方法。
【請求項３】
上記映像信号は、フィールド区間から構成されたフレーム区間からなり、上記異なるライン区間が、同一のフィールド区間内にあることを特徴とする請求項２に記載の映像信号記録方法。
【請求項４】
上記映像信号は、フィールド区間から構成されたフレーム区間からなり、上記異なるライン区間は、同一のフレーム区間内の異なったフィールド区間であることを特徴とする請求項２に記載の映像信号記録方法。
【請求項５】
上記映像信号はライン区間を有し、上記著作権情報及び上記世代情報は、同一のライン区間における上記ＶＢＩＤに重畳されていることを特徴とする請求項１に記載の映像信号記録方法。
【請求項６】
映像信号を記録する映像信号記録装置であって、
上記映像信号は、表示用画像情報を含む有効画像区間と、複数ビットのモード番号及び上記モード番号と関連した複数ビットのデータ又はデータフラグからなる垂直ブランキング区間データ（ＶＢＩＤ）を含む非画像区間とを有し、
上記複数ビットのモード番号の分類機能によって上記複数ビットのデータ又はデータフラグの所定のビットが異なる情報を表すように、上記複数ビットのモード番号は、上記複数ビットのデータ又はデータフラグをデータ又はフラグとして選択的に分類し、
上記表示用画像情報に著作権があるか否かを示す著作権情報を生成する手段と、
上記表示用画像に著作権がある場合に、上記処理された映像信号から生成されるコピーが一世代生成可能か否かを示す世代情報を生成する手段と、
上記複数ビットのモード番号が上記関連する複数ビットのデータ又はデータフラグをフラグとして分類するとき、上記著作権情報及び上記世代情報を上記所定のビットに割り当て、上記処理された映像信号を記録媒体に記録する手段とからなる映像信号記録装置。
【請求項７】
上記映像信号はライン区間を有し、上記著作権情報及び上記世代情報は、それぞれ異なるライン区間における上記ＶＢＩＤデータに重畳されていることを特徴とする請求項６に記載の映像信号記録装置。
【請求項８】
上記映像信号は、フィールド区間から構成されたフレーム区間からなり、上記異なるライン区間が、同一のフィールド区間内にあることを特徴とする請求項７に記載の映像信号記録装置。
【請求項９】
上記映像信号は、フィールド区間から構成されたフレーム区間からなり、上記異なるライン区間は、同一のフレーム区間内の異なったフィールド区間であることを特徴とする請求項７に記載の映像信号記録装置。
【請求項１０】
上記映像信号はライン区間を有し、上記著作権情報及び上記世代情報は、同一のライン区間における上記ＶＢＩＤに重畳されていることを特徴とする請求項６に記載の映像信号記録装置。
【発明の詳細な説明】
【０００１】
【発明の属する技術分野】
本発明は、画像情報の不正コピーを有効に防止することができるようにした映像信号記録方法及び映像信号記録装置に関する。
【０００２】
【従来の技術】
録画再生装置の普及に伴い、映画などが収録された記録済のビデオテープが一般に販売されている。このような記録済のビデオテープの複製を作成することは法律で禁止されているが、２台の録画再生装置を準備できれば、上記記録済のビデオテープをコピー（ダビング）して簡単に複製を作成することができる。
【０００３】
このようなビデオテープの不正コピーを防止するために、例えば特開昭５２−１３２８１１号に開示されているように、映像信号と分離可能な状態で１ビットのダビング防止信号を挿入した記録済み記録媒体を本件出願人は先に提案している。
【０００４】
【発明が解決しようとする課題】
ところで、１ビットのダビング防止信号を挿入することにより不正コピーを防止する従来の手法では、コピーの許可／禁止すなわち著作権の有無を上記１ビットのダビング防止信号で示すことができるだけであるので、世代制限（ＳＣＭＳ：  Ｓｅｒｉａｌ  Ｃｏｐｙ  Ｍａｎａｇｅｍｅｎｔ  Ｓｙｓｔｅｍ  ）には対応することができない。
【０００５】
そこで、本発明の目的は、上述の如き従来の実情に鑑み、再生画像情報とともに著作権情報と世代情報を出力することができる映像信号処理方法、映像信号再生方法、映像信号処理装置及び映像信号再生装置を提供することにある。
【０００６】
【課題を解決するための手段】
本発明は、映像信号を記録する映像信号記録方法であって、上記映像信号は、表示用画像情報を含む有効画像区間と、複数ビットのモード番号及び上記モード番号と関連した複数ビットのデータ又はデータフラグからなる垂直ブランキング区間データ（ＶＢＩＤ）を含む非画像区間とを有し、上記複数ビットのモード番号の分類機能によって上記複数ビットのデータ又はデータフラグの所定のビットが異なる情報を表すように、上記複数ビットのモード番号は、上記複数ビットのデータ又はデータフラグをデータ又はフラグとして選択的に分類し、上記表示用画像情報に著作権があるか否かを示す著作権情報を生成するステップと、上記表示用画像に著作権がある場合に、上記処理された映像信号から生成されるコピーが一世代生成可能か否かを示す世代情報を生成するステップと、上記複数ビットのモード番号が上記関連する複数ビットのデータ又はデータフラグをフラグとして分類するとき、上記著作権情報及び上記世代情報を上記所定のビットに割り当て、上記処理された映像信号を記録媒体に記録するステップとからなることを特徴とする。
【０００７】
また、本発明は、映像信号を記録する映像信号記録装置であって、上記映像信号は、表示用画像情報を含む有効画像区間と、複数ビットのモード番号及び上記モード番号と関連した複数ビットのデータ又はデータフラグからなる垂直ブランキング区間データ（ＶＢＩＤ）を含む非画像区間とを有し、上記複数ビットのモード番号の分類機能によって上記複数ビットのデータ又はデータフラグの所定のビットが異なる情報を表すように、上記複数ビットのモード番号は、上記複数ビットのデータ又はデータフラグをデータ又はフラグとして選択的に分類し、上記表示用画像情報に著作権があるか否かを示す著作権情報を生成する手段と、上記表示用画像に著作権がある場合に、上記処理された映像信号から生成されるコピーが一世代生成可能か否かを示す世代情報を生成する手段と、上記複数ビットのモード番号が上記関連する複数ビットのデータ又はデータフラグをフラグとして分類するとき、上記著作権情報及び上記世代情報を上記所定のビットに割り当て、上記処理された映像信号を記録媒体に記録する手段とからなることを特徴とする。
【０００８】
【発明の実施の形態】
以下、本発明の実施の形態について、図面を参照して詳細に説明する。
【０００９】
本発明では、画像情報の画面に表示される有効映像区間以外の区間に著作権情報と世代情報を重畳して上記画像情報とともに伝送することにより、画像情報の不正コピーを有効に防止する。例えば図１に示すように、ＮＴＳＣの映像信号とともに著作権情報Ｓ１と世代情報Ｓ２をフィールド毎に交互に伝送する。
【００１０】
この図１の例では、ＮＴＳＣ方式の映像信号に対して、著作権の有無を「１／０」で示す図２のような１ビットの著作権情報Ｓ１を第２０ライン（奇数フィールドの第２０ライン）に重畳し、また、コピー可能な世代数「０／１」を示す図３のような１ビットの世代情報Ｓ２を第２８３ライン（偶数フィールドの第２０ライン）に重畳して、ＮＴＳＣ方式の映像信号とともに著作権情報Ｓ１と世代情報Ｓ２をフィールド毎に交互に伝送する。
【００１１】
このように、ＮＴＳＣ方式の映像信号とともに著作権情報と世代情報をフィールド毎に交互に伝送することにより、受信側では、受信したＮＴＳＣ方式の映像信号について、水平同期信号及び垂直同期信号に基づくフィールド判別を行って、奇数フィールドの第２０ラインから著作権情報を検出し、偶数フィールドの第２０ラインから世代情報を検出することができ、上記著作権情報と世代情報を用いて世代制限を行うことができる。
【００１２】
また、図４に示すように、ＮＴＳＣ方式の映像信号とともにビデオＩＤの特定の１ビットとして著作権情報と世代情報をフィールド毎に交互に伝送するようにしても良い。
【００１３】
この図４に示す例では、ＮＴＳＣ方式の映像信号に対して、図５に示すようなビデオＩＤの特定の１ビットとして著作権の有無を「１／０」で示す１ビットの著作権情報Ｓ１を第２０ライン（奇数フィールドの第２０ライン）に重畳し、また、図６に示すようなビデオＩＤの特定の１ビットとしてコピー可能な世代数「０／１」を示す１ビットの世代情報Ｓ２を第２８３ライン（偶数フィールドの第２０ライン）に重畳して、ＮＴＳＣ方式の映像信号とともに著作権情報Ｓ１と世代情報Ｓ２をフィールド毎に交互に伝送する。
【００１４】
このように、ＮＴＳＣ方式の映像信号とともにビデオＩＤの特定の１ビットとして著作権情報と世代情報をフィールド毎に交互に伝送することにより、受信側では、受信したＮＴＳＣ方式の映像信号について、水平同期信号及び垂直同期信号に基づくフィールド判別を行って、奇数フィールドの第２０ラインからビデオＩＤの特定の１ビットとして著作権情報を検出し、偶数フィールドの第２０ラインからビデオＩＤの特定の１ビットとして世代情報を検出することができ、上記著作権情報と世代情報を用いてコピーの世代制限を行うことができる。
【００１５】
また、図７に示すように、ＮＴＳＣ方式の映像信号とともに著作権情報Ｓ１と世代情報Ｓ２を毎フィールド伝送するようにしても良い。
【００１６】
この図７に示す例では、ＮＴＳＣ方式の映像信号に対して、図８のように著作権の有無を「１／０」で示す１ビットの著作権情報Ｓ１とコピー可能な世代数「０／１」を示す１ビットの世代情報Ｓ２を１ライン分のデータとして、第２０ライン（奇数フィールドの第２０ライン）と第２８３ライン（偶数フィールドの第２０ライン）にそれぞれ重畳して、ＮＴＳＣ方式の映像信号とともに著作権情報Ｓ１と世代情報Ｓ２を毎フィールド伝送する。
【００１７】
このように、ＮＴＳＣ方式の映像信号とともに著作権情報と世代情報を毎フィールド伝送することにより、受信側では、受信したＮＴＳＣ方式の映像信号について、上記著作権情報と世代情報を毎フィールド検出してコピーの世代制限を行うことができる。
【００１８】
また、図９に示すように、ＮＴＳＣ方式の映像信号とともにビデオＩＤの特定の２ビットとして著作権情報と世代情報を毎フィールド伝送するようにしても良い。
【００１９】
この図９に示す例では、ＮＴＳＣ方式の映像信号に対して、例えば図１０に示すように、著作権の有無を「１／０」で示す１ビットの著作権情報Ｓ１とコピー可能な世代数「０／１」を示す１ビットの世代情報Ｓ２を特定の２ビットに割り当てたビデオＩＤを１ライン分のデータとして、第２０ライン（奇数フィールドの第２０ライン）と第２８３ライン（偶数フィールドの第２０ライン）にそれぞれ重畳して、ＮＴＳＣ方式の映像信号とともに著作権情報Ｓ１と世代情報Ｓ２を毎フィールド伝送する。
【００２０】
なお、上記ビデオＩＤは、図１１に示すようにヘッダビットを省略したり、さらに、図１２に示すようにリファレンスビットを省略するようにしても良い。
【００２１】
このように、ＮＴＳＣ方式の映像信号とともにビデオＩＤの特定の２ビットとして著作権情報と世代情報を毎フィールド伝送することにより、受信側では、受信したＮＴＳＣ方式の映像信号について、各フィールドの第２０ラインのビデオＩＤの特定の２ビットとして世代情報を毎フィールド検出して、上記著作権情報と世代情報を用いてコピーの世代制限を行うことができる。
【００２２】
また、図１３に示すように、ＮＴＳＣ方式の映像信号の２ライン分のデータとして著作権情報Ｓ１と世代情報Ｓ２を毎フィールド伝送するようにしても良い。
【００２３】
この図１３に示す例では、ＮＴＳＣ方式の映像信号に対して、図１４のように著作権の有無を「１／０」で示す１ビットの著作権情報Ｓ１を１ライン分のデータとし、第１９ライン（奇数フィールドの第１９ライン）と第２８２ライン（偶数フィールドの第１９ライン）にそれぞれ重畳するとともに、コピー可能な世代数「０／１」を示す１ビットの世代情報Ｓ２を次の１ライン分のデータとして、第２０ライン（奇数フィールドの第２０ライン）と第２８３ライン（偶数フィールドの第２０ライン）にそれぞれ重畳して、ＮＴＳＣ方式の映像信号とともに著作権情報Ｓ１と世代情報Ｓ２を毎フィールド伝送する。
【００２４】
このように、ＮＴＳＣ方式の映像信号とともに各フィールドの第１９ライン及び第２０ラインの２ライン分のデータとして著作権情報Ｓ１と世代情報Ｓ２を毎フィールド伝送することにより、受信側では、受信したＮＴＳＣ方式の映像信号について、上記著作権情報と世代情報を毎フィールド検出してコピーの世代制限を行うことができる。
【００２５】
さらに、図１５に示すように、ＮＴＳＣ方式の映像信号とともに２ライン分のビデオＩＤの各特定の１ビットとして著作権情報と世代情報を毎フィールド伝送するようにしても良い。
【００２６】
この図１５に示す例では、ＮＴＳＣ方式の映像信号に対して、例えば図１６に示すように、著作権の有無を「１／０」で示す１ビットの著作権情報Ｓ１を特定の１ビットに割り当てたビデオＩＤを１ライン分のデータとして、第１９ライン（奇数フィールドの第１９ライン）と第２８３ライン（偶数フィールドの第１９ライン）にそれぞれ重畳するとともに、コピー可能な世代数「０／１」を示す１ビットの世代情報Ｓ２を特定の１ビットに割り当てたビデオＩＤを１ライン分のデータとして、第２０ライン（奇数フィールドの第２０ライン）と第２８３ライン（偶数フィールドの第２０ライン）にそれぞれ重畳して、ＮＴＳＣ方式の映像信号とともに著作権情報Ｓ１と世代情報Ｓ２を毎フィールド伝送する。
【００２７】
このように、ＮＴＳＣ方式の映像信号とともに各フィールドの第１９ライン及び第２０ラインの各ビデオＩＤの特定の１ビットとして著作権情報と世代情報を毎フィールド伝送することにより、受信側では、受信したＮＴＳＣ方式の映像信号について、各フィールドの第１９ライン及び第２０ラインの各ビデオＩＤの特定の１ビットとして著作権情報と世代情報を毎フィールド検出して、上記著作権情報と世代情報を用いてコピーの世代制限を行うことができる。
【００２８】
ここで、上述の各例では、ＮＴＳＣ方式の映像信号に対して、各フィールドの第１９ラインや第２０ラインに著作権情報と世代情報を重畳して、ＮＴＳＣ方式の映像信号とともに著作権情報Ｓ１と世代情報Ｓ２を伝送するようにしたが、上記著作権情報と世代情報を重畳するラインは、上記各フィールドの第１９ラインや第２０ラインに限定されるものでなく、実質的に画像情報の画面に表示される有効映像区間以外の区間のラインであれば良い。また、本発明はＮＴＳＣ方式の映像信号に対してのみ有効なものでなく、ＰＡＬ方式やＨＤ方式の映像信号に対しても適用することができる。
【００２９】
例えば、ＨＤ方式の映像信号に対して、例えば図１７に示すように、著作権の有無を「１／０」で示す１ビットの著作権情報Ｓ１とコピー可能な世代数「０／１」を示す１ビットの世代情報Ｓ２を特定の２ビットに割り当てたビデオＩＤを１ライン分のデータとして、第３２ライン（奇数フィールドの第３２ライン）と第５９５ライン（偶数フィールドの第３２ライン）にそれぞれ重畳して、ＨＤの映像信号とともに著作権情報Ｓ１と世代情報Ｓ２を毎フィールド伝送することにより、受信側では、受信したＨＤ方式の映像信号について、各フィールドの第３２ラインのビデオＩＤの特定の２ビットとして世代情報を毎フィールド検出して、上記著作権情報と世代情報を用いてコピーの世代制限を行うことができる。
【００３０】
上記著作権情報Ｓ１と世代情報Ｓ２を用いて、例えば表１に示すようなコピーの世代制限を行うことができる。
【００３１】
【表１】
0003570403.tif 000002
【００３２】
ここで、上記表１において、著作権情報Ｓ１は著作権の有無を示すもので、Ｓ１＝０にて著作権無しを示し、Ｓ１＝１にて著作権有りを示す。また、世代情報Ｓ２はコピー可能世代数を示すもので、Ｓ２＝０にてコピー可能世代数が〔１〕であることを示し、Ｓ２＝１にてコピー可能世代数が〔０〕であることを示す。
【００３３】
そして、上記著作権情報Ｓ１が「０」である場合には、例えば図１８に示すように、テレビジョンチューナ１で受信したアナログ映像信号に重畳されていた著作権情報Ｓ１が「０」である場合に、世代情報Ｓ２が「０」，「１」のどちらであっても、第１のビデオテープレコーダ２による上記アナログ映像信号の記録を許可し、さらに、上記アナログ映像信号を記録した記録済ビデオテープから他のビデオテープへの上記アナログ映像信号のダビングすなわち上記第１のビデオテープレコーダ２から上記第２のビデオテープレコーダ３への上記映像信号のコピーも許可することがでる。
【００３４】
また、例えば図１９に示すように、テレビジョンチューナ（又はビデオテープレコーダ）４から出力されるアナログ映像信号に重畳されていた著作権情報Ｓ１が「１」であり世代情報Ｓ２が「０」である場合には、第１のビデオテープレコーダ５による上記アナログ映像信号の記録を許可する。そして、この第１のビデオテープレコーダ５では、著作権有りを示す著作権情報Ｓ１＝１とコピー可能世代数が〔０〕であることを示す世代情報Ｓ２＝１を上記アナログ映像信号に重畳して、上記著作権情報Ｓ１及び世代情報Ｓ２をアナログ映像信号とともにビデオテープに記録する。そして、上記第１のビデオテープレコーダ５により記録された上記アナログ映像信号を再生した場合に、その再生映像信号には、著作権有りを示す著作権情報Ｓ１＝１とコピー可能世代数が〔０〕であることを示す世代情報Ｓ２＝１が重畳されているので、上記アナログ映像信号を記録した記録済ビデオテープから他のビデオテープへの上記アナログ映像信号のダビングすなわち上記第１のビデオテープレコーダ５から上記第２のビデオテープレコーダ６への上記映像信号のコピーを禁止することができる。
【００３５】
さらに、著作権有りを示す著作権情報Ｓ１＝１とコピー可能世代数が〔０〕であることを示す世代情報Ｓ２＝１を重畳した映像信号を記録媒体に記録しておくことにより、例えば図２０に示すように、ビデオディスクプレーヤ７によりビデオディスクから再生される映像信号をビデオテープレコーダ８によりビデオテープに記録することを禁止することができる。
【００３６】
本発明では、例えばビデオテープレコーダの記録系において、上述の如き著作権情報Ｓ１と世代情報Ｓ２を映像信号とともにビデオテープに記録する。このビデオテープレコーダの記録系は、例えば図２１に示すように構成される。
【００３７】
この図２１に示すビデオテープレコーダの記録系は、入力映像信号に著作権情報Ｓ１と世代情報Ｓ２を重畳する重畳処理部１０を備え、この重畳処理部１０を介して上記入力映像信号が供給される記録信号処理回路１１により記録信号を生成し、この記録信号を記録ヘッド１２を介してビデオテープ１３に記録するようになっている。
【００３８】
上記重畳処理部１０は、入力映像信号にコピープロテクト情報として重畳されている著作権情報Ｓ１と世代情報Ｓ２を検出するコピープロテクト情報検出部１４を備え、このコピープロテクト情報検出部１４により検出された著作権情報Ｓ１と世代情報Ｓ２に基づいて、制御部１５により新たなコピープロテクト情報と記録制御信号を生成し、上記新たなコピープロテクト情報をエンコーダ１６により著作権情報Ｓ１と世代情報Ｓ２に変換し、この著作権情報Ｓ１と世代情報Ｓ２をコピープロテクト情報として重畳回路１７により上記入力映像信号に重畳するようになっている。
【００３９】
また、上記コピープロテクト情報検出部１４は、入力映像信号から垂直同期信号及び水平同期信号を分離する同期分離回路１８を備え、この同期分離回路１８により得られた垂直同期信号及び水平同期信号に基づいて、タイミングジェネレータ１９により上記入力映像信号のコピープロテクト情報が存在する位置を示すタイミングパルスを生成し、このタイミングジェネレータ１９により生成されたタイミングパルスに基づいて、デコーダ２０により上記入力映像信号から著作権情報Ｓ１と世代情報Ｓ２を検出するようになっている。
【００４０】
そして、上記制御部１５では、上記コピープロテクト情報検出部１４により検出された著作権情報Ｓ１と世代情報Ｓ２に基づいて、図２２のフローチャートに示す手順に従ってコピープロテクト情報と記録制御信号を生成することにより、コピーの世代制御を行うようになっている。
【００４１】
すなわち、上記制御部１５は、先ず、ステップ１において、著作権情報Ｓ１により著作権の有無を判定する。そして、上記ステップ１における判定結果がＳ１＝０すなわち著作権無しの場合には、ステップ２に移り、Ｓ１＝０の著作権情報Ｓ１とＳ２＝０又はＳ２＝１の世代情報Ｓ２を上記エンコーダ１６から出力させるコピープロテクト情報を生成し、さらに、ステップ３でコピー許可を示す記録制御信号を生成する。
【００４２】
また、上記ステップ１における判定結果がＳ１＝１すなわち著作権有りの場合には、ステップ４に移り、世代情報Ｓ２によりコピー世代を判定する。そして、このステップ４における判定結果がＳ２＝１すなわちコピー可能世代数が〔０〕である場合には、ステップ５に移ってコピー禁止を示す記録制御信号を生成する。
【００４３】
さらに、上記ステップ４における判定結果がＳ２＝０すなわちコピー可能世代数が１である場合には、ステップ６に移り、Ｓ１＝１の著作権情報Ｓ１とＳ２＝１の世代情報Ｓ２を上記エンコーダ１６から出力させるコピープロテクト情報を生成し、さらに、ステップ７でコピー許可を示す記録制御信号を生成する。
【００４４】
そして、このビデオテープレコーダの記録系において、上記記録信号処理回路１１は、上記制御部１５により生成された記録制御信号に応じて記録信号の生成処理を行うもので、コピー許可を示す記録制御信号が上記制御部１５から供給された場合に、上記重畳処理部１０により著作権情報Ｓ１と世代情報Ｓ２が重畳された入力映像信号についての記録信号を生成する。また、上記記録信号処理回路１１は、コピー禁止を示す記録制御信号が上記制御部１５から供給された場合には、記録信号の生成処理を停止する。
【００４５】
このような構成の記録系を有するビデオテープレコーダでは、入力映像信号に対して、画面に表示される有効映像区間以外の区間に著作権情報Ｓ１と世代情報Ｓ２を重畳処理部１０により重畳して、上記著作権情報Ｓ１と世代情報Ｓ２を上記映像信号とともにビデオテープ１３に記録することができる。また、上記コピープロテクト情報検出部１４で入力映像信号から検出される著作権情報Ｓ１と世代情報Ｓ２に基づいて上記制御部１５により記録制御信号を生成し、この記録制御信号に応じて上記記録信号処理回路１１で記録信号の生成処理を行うようにしたことにより、上記制御部１５によりコピーが許可された映像信号だけをビデオテープ１３に記録することができる。
【００４６】
上述の如き著作権情報Ｓ１と世代情報Ｓ２を映像信号に重畳する処理は、ビデオテープレコーダの再生系において行うこともできる。このビデオテープレコーダの再生系は、例えば図２３に示すように構成される。
【００４７】
この図２３に示すビデオテープレコーダの再生系は、ビデオテープ２１の記録トラックを走査する再生ヘッド２２が接続された再生信号処理回路２３により得られる再生映像信号が供給される重畳処理部２４を備え、この重畳処理部２４により著作権情報Ｓ１と世代情報Ｓ２をコピープロテクト情報として重畳した再生映像信号を出力するようになっている。
【００４８】
上記重畳処理部２４は、上記再生信号処理回路２３により得られる再生映像信号に重畳されているコピープロテクト情報を検出するコピープロテクト情報検出部２５を備え、このコピープロテクト情報検出部２５により検出されたコピープロテクト情報に基づいて、制御部２６により新たなコピープロテクト情報を生成し、上記新たなコピープロテクト情報をエンコーダ２７により著作権情報Ｓ１と世代情報Ｓ２に変換し、この著作権情報Ｓ１と世代情報Ｓ２をコピープロテクト情報として重畳回路２８により上記再生映像信号に重畳するようになっている。
【００４９】
また、上記制御部２６では、上記コピープロテクト情報検出部２５により検出されたコピープロテクト情報に基づいて、図２４のフローチャートに示す手順に従ってコピープロテクト情報を生成することにより、コピーの世代制御を行うようになっている。
【００５０】
すなわち、上記制御部２６は、先ず、ステップ１において、コピープロテクト情報により著作権の有無及びコピー世代を判定する。そして、上記ステップ１における判定結果が著作権無しの場合には、ステップ２に移り、Ｓ１＝０の著作権情報Ｓ１とＳ２＝０又はＳ２＝１の世代情報Ｓ２を上記エンコーダ２７から出力させるコピープロテクト情報を生成する。
【００５１】
また、上記ステップ１における判定結果が著作権有りでコピー可能世代数が１である場合には、ステップ３に移り、Ｓ１＝１の著作権情報Ｓ１とＳ２＝０の世代情報Ｓ２を上記エンコーダ２７から出力させるコピープロテクト情報を生成する。
【００５２】
さらに、上記ステップ１における判定結果が著作権有りでコピー可能世代数が０である場合には、ステップ４に移り、Ｓ１＝１の著作権情報Ｓ１とＳ２＝１の世代情報Ｓ２を上記エンコーダ２７から出力させるコピープロテクト情報を生成する。
【００５３】
このような再生系を備えるビデオテープレコーダでは、上記ビデオテープ２１から再生される再生映像信号に対し、上記重畳処理部２４により画面に表示される有効映像区間以外の区間に著作権情報Ｓ１と世代情報Ｓ２を重畳した再生画像信号を出力することができ、この再生映像信号を上述の如き記録系を有するビデオテープレコーダで記録する場合の世代制限を行うことができる。
【００５４】
また、以上の説明では、１世代のみのコピー制限を行うＳＣＭＳを仮定して世代情報Ｓ２を１ビットとしたが、上記世代情報Ｓ２を多ビットとして複数世代に亘るコピーを可能にするような世代制限を行うようにすることもできる。
【００５５】
例えば、図２５に示すように、ＮＴＳＣ方式の映像信号の第２０ライン（奇数フィールドの第２０ライン）と第２８３ライン（偶数フィールドの第２０ライン）にそれぞれ重畳されるビデオＩＤの特定の３ビットを用いて、１ビットの著作権情報Ｓ１と２ビットの世代情報Ｓ２を伝送するようにしても良い。
【００５６】
上記ビデオＩＤは、図２６に示すように、ワイドＩＤ（２ビットデータＡ）とモード番号（４ビットデータＢ）とデータ又はフラグ（８ビットデータＣ）とエラーチェックコード（６ビットデータＤ）からなる２０ビットで構成されている。
【００５７】
そして、上記ワイドＩＤ（２ビットデータＡ）は、映像信号の伝送形式に関する識別情報であって、次の表２に示すように、伝送アスペクト比が１６：９であるか４：３であるかを第１ビットで示し、画像表示形式がレターボックス形式であるか標準形式であるかを第２ビットで示す。
【００５８】
【表２】
0003570403.tif 000003
【００５９】
また、上記モード番号（４ビットデータＢ）は、上記データ又はフラグ（８ビットデータＣ）を１６種類のデータに仕分けする識別情報であって、次の表３に示すように、システムフラグや日時データなどとして定義する。
【００６０】
【表３】
0003570403.tif 000004
【００６１】
すなわち、上記モード番号は、〔００００〕であるときに上記８ビットデータＣがシステムフラグであることを示し、また、〔０００１〕であるときに上記８ビットデータＣが撮影時の日付けのうちの年の値であることを示す。同様に、〔１１００〕は文字列のスタートを示し、〔１１０１〕は上記８ビットデータＣが文字データであることを示し、〔１１１０〕は文字列の終了を示す。これにより、番組タイトルなどの文字情報を記録伝送することができる。
【００６２】
また、上記モード番号〔００００〕で定義される上記８ビットデータＣすなわちシステムフラグは、画像のステータスを表すもので、次の表４に示すように、ビット０が著作権情報Ｓ１に割り当てられ、ビット１及びビット２が世代情報Ｓ２に割り当てられ、ビット３が立体（３Ｄ）映像か否かを示す情報に割り当てられ、さらに、ビット７がレターボックスの黒領域に字幕があるか否かを示す情報に割り当てられている。
【００６３】
【表４】
0003570403.tif 000005
【００６４】
ここで、上記ビット３に割り当てられた情報は、奇数フィールドと偶数フィールドとで左右の視差のある画像を記録し、再生時に液晶シャッタなどで奇数フィールドと偶数フィールドをスイッチングすることにより立体視させる３Ｄモードの制御を行うのに使用される。また、ビット７に割り当てられた情報は、字幕がレターボックスの黒領域にある場合、ワイドアペクト比の画面でズームすると字幕が消えてしまうので、ズームしないようにしたり、黒領域の字幕をスライスして、他の領域に表示するなどの制御を行うのに使用される。
【００６５】
そして、上記ビット０に割り当てられた著作権情報Ｓ１は、著作権の有無を「１／０」で示す。また、上記ビット１及びビット２に割り当てられられた世代情報Ｓ２は、表５に示すように、Ｓ２＝１１にてコピー可能な世代数〔３〕を示し、また、Ｓ２＝１０にてコピー可能な世代数〔２〕を示し、また、Ｓ２＝０１にてコピー可能な世代数〔１〕を示し、さらに、Ｓ２＝００にてコピー可能な世代数「０」を示す。
【００６６】
【表５】
0003570403.tif 000006
【００６７】
この例では、上記１ビットの著作権情報Ｓ１と２ビットの世代情報Ｓ２を用いて表６に示すようなコピーの世代制限を行うことができる。
【００６８】
【表６】
0003570403.tif 000007
【００６９】
すなわち、例えば図２７に示すように、ビデオソース３０から供給された映像信号に著作権無しを示す著作権情報Ｓ１＝０が重畳されていた場合には、世代情報Ｓ２が００，０１，１０，１１のいずれであっても、第１のビデオテープレコーダ３１による上記映像信号の記録を許可し、さらに、上記映像信号を記録した記録済ビデオテープから他のビデオテープへの上記映像信号のダビング、すなわち、上記第１のビデオテープレコーダ３１から第２のビデオテープレコーダ３２への上記映像信号のコピーや上記第２のビデオテープレコーダ３２から第３のビデオテープレコーダ３３への上記映像信号のコピーも許可することができる。
【００７０】
また、例えば図２８に示すように、ビデオソース３０から供給された映像信号に著作権有りを示す著作権情報Ｓ１＝１とコピー可能世代数が〔０〕であることを示す世代情報Ｓ２＝００が重畳されていた場合には、上記映像信号を第１のビデオテープレコーダ３１によりビデオテープに記録することが禁止される。
【００７１】
また、例えば図２９に示すように、ビデオソース３０から供給された映像信号に著作権有りを示す著作権情報Ｓ１＝１とコピー可能世代数が〔１〕であることを示す世代情報Ｓ２＝０１が重畳されていた場合には、上記映像信号を第１のビデオテープレコーダ３１によりビデオテープに記録することが許可される。
【００７２】
この第１のビデオテープレコーダ３１では、著作権有りを示す著作権情報Ｓ１＝１とコピー可能世代数をデクリメントしてコピー可能世代数が〔０〕であることを示す世代情報Ｓ２＝００を上記映像信号に重畳して、上記著作権情報Ｓ１及び世代情報Ｓ２を映像信号とともにビデオテープに記録する。上記第１のビデオテープレコーダ３１により記録された上記映像信号を再生した場合に、その再生映像信号には、著作権有りを示す著作権情報Ｓ１＝１とコピー可能世代数が〔０〕であることを示す世代情報Ｓ２＝００が重畳されているので、上記映像信号を記録した記録済ビデオテープから他のビデオテープへの上記映像信号のダビングすなわち上記第１のビデオテープレコーダ３１から第２のビデオテープレコーダ３２への上記映像信号のコピーが禁止される。
【００７３】
すなわち、著作権があることを示す著作権情報Ｓ１＝１とコピー可能世代数が〔１〕であることを示す世代情報Ｓ２＝０１を映像信号に重畳しておくことにより、１世代のみのコピーを許可し、２世代以上のコピーを禁止する世代制限を行うことができる。
【００７４】
また、例えば図３０に示すように、ビデオソース３０から供給された映像信号に著作権有りを示す著作権情報Ｓ１＝１とコピー可能世代数が〔２〕であることを示す世代情報Ｓ２＝１０が重畳されていた場合には、上記映像信号を第１のビデオテープレコーダ３１によりビデオテープに記録することが許可される。
【００７５】
この第１のビデオテープレコーダ３１では、著作権有りを示す著作権情報Ｓ１＝１とコピー可能世代数をデクリメントしてコピー可能世代数が〔１〕であることを示す世代情報Ｓ２〔０１〕を上記映像信号に重畳して、上記著作権情報Ｓ１及び世代情報Ｓ２を映像信号とともにビデオテープに記録する。上記第１のビデオテープレコーダ３１により記録された上記映像信号を再生した場合に、その再生映像信号には、著作権有りを示す著作権情報Ｓ１＝１とコピー可能世代数が〔１〕であることを示す世代情報Ｓ２＝０１が重畳されているので、上記映像信号を記録した記録済ビデオテープから他のビデオテープへの上記映像信号のダビングすなわち上記第１のビデオテープレコーダ３１から第２のビデオテープレコーダ３２への上記映像信号のコピーが許可される。
【００７６】
この第２のビデオテープレコーダ３２では、著作権有りを示す著作権情報Ｓ１＝１とコピー可能世代数をデクリメントしてコピー可能世代数が〔０〕であることを示す世代情報Ｓ２〔００〕を上記映像信号に重畳して、上記著作権情報Ｓ１及び世代情報Ｓ２を映像信号とともにビデオテープに記録する。そして、上記第２のビデオテープレコーダ３２により記録された上記映像信号を再生した場合に、その再生映像信号には、著作権有りを示す著作権情報Ｓ１＝１とコピー可能世代数が〔０〕であることを示す世代情報Ｓ２＝００が重畳されているので、上記映像信号を記録した記録済ビデオテープから他のビデオテープへの上記映像信号のダビングすなわち上記第２のビデオテープレコーダ３２から第３のビデオテープレコーダ３３への上記映像信号のコピーが禁止される。
【００７７】
すなわち、著作権があることを示す著作権情報Ｓ１＝１とコピー可能世代数が〔２〕であることを示す世代情報Ｓ２＝１０を映像信号に重畳しておくことにより、２世代までのコピーを許可し、３世代以上のコピーを禁止する世代制限を行うことができる。
【００７８】
さらに、例えば図３１に示すように、ビデオソース３０から供給された映像信号に著作権有りを示す著作権情報Ｓ１＝１とコピー可能世代数が〔３〕であることを示す世代情報Ｓ２＝１１が重畳されていた場合には、上記映像信号を第１のビデオテープレコーダ３１によりビデオテープに記録することが許可される。
【００７９】
この第１のビデオテープレコーダ３１では、著作権有りを示す著作権情報Ｓ１＝１とコピー可能世代数をデクリメントしてコピー可能世代数が〔２〕であることを示す世代情報Ｓ２〔１０〕を上記映像信号に重畳して、上記著作権情報Ｓ１及び世代情報Ｓ２を映像信号とともにビデオテープに記録する。上記第１のビデオテープレコーダ３１により記録された上記映像信号を再生した場合に、その再生映像信号には、著作権有りを示す著作権情報Ｓ１＝１とコピー可能世代数が〔２〕であることを示す世代情報Ｓ２＝１０が重畳されているので、上記映像信号を記録した記録済ビデオテープから他のビデオテープへの上記映像信号のダビングすなわち上記第１のビデオテープレコーダ３１から第２のビデオテープレコーダ３２への上記映像信号のコピーが許可される。
【００８０】
この第２のビデオテープレコーダ３２では、著作権有りを示す著作権情報Ｓ１＝１とコピー可能世代数をデクリメントしてコピー可能世代数が〔１〕であることを示す世代情報Ｓ２〔０１〕を上記映像信号に重畳して、上記著作権情報Ｓ１及び世代情報Ｓ２を映像信号とともにビデオテープに記録する。上記第２のビデオテープレコーダ３２により記録された上記映像信号を再生した場合に、その再生映像信号には、著作権有りを示す著作権情報Ｓ１＝１とコピー可能世代数が〔１〕であることを示す世代情報Ｓ２＝０１が重畳されているので、上記映像信号を記録した記録済ビデオテープから他のビデオテープへの上記映像信号のダビングすなわち上記第２のビデオテープレコーダ３２から第３のビデオテープレコーダ３３への上記映像信号のコピーが許可される。
【００８１】
この第３のビデオテープレコーダ３３では、著作権有りを示す著作権情報Ｓ１＝１とコピー可能世代数をデクリメントしてコピー可能世代数が〔０〕であることを示す世代情報Ｓ２＝００を上記映像信号に重畳して、上記著作権情報Ｓ１及び世代情報Ｓ２を映像信号とともにビデオテープに記録する。そして、上記第３のビデオテープレコーダ３３により記録された上記映像信号を再生した場合に、その再生映像信号には、著作権有りを示す著作権情報Ｓ１＝１とコピー可能世代数が〔０〕であることを示す世代情報Ｓ２＝００が重畳されているので、上記映像信号を記録した記録済ビデオテープから他のビデオテープへの上記映像信号のダビングすなわち上記第３のビデオテープレコーダ３３から第４のビデオテープレコーダ３４への上記映像信号のコピーが禁止される。
【００８２】
すなわち、著作権があることを示す著作権情報Ｓ１＝１とコピー可能世代数が〔３〕であることを示す世代情報Ｓ２＝１１を映像信号に重畳しておくことにより、３世代までのコピーを許可し、４世代以上のコピーを禁止する世代制限を行うことができる。
【００８３】
このように、世代情報Ｓ２を多ビットとすることにより複数世代に亘るコピーを許可する世代制限を行うことができる。
【００８４】
【発明の効果】
以上のように、本発明によれば、記録媒体から再生した画像情報の画面に表示される有効映像区間以外の区間に重畳処理手段により著作権情報と世代情報を重畳した再生画像情報を出力することができ、著作権の有無によりコピーの許可／禁止だけでなく、コピーの世代制限を行うことができる。
【図面の簡単な説明】
【図１】本発明により処理された映像信号の一例を示す波形図である。
【図２】図１の例における著作権情報の重畳状態を示す波形図である。
【図３】図１の例における世代情報の重畳状態を示す波形図である。
【図４】本発明により処理された映像信号の他の例を示す波形図である。
【図５】図４の例における著作権情報の重畳状態を示す波形図である。
【図６】図４の例における世代情報の重畳状態を示す波形図である。
【図７】本発明により処理された映像信号の他の例を示す波形図である。
【図８】図７の例における著作権情報の重畳状態を示す波形図である。
【図９】本発明により処理された映像信号の他の例を示す波形図である。
【図１０】図９の例における著作権情報の重畳状態を示す波形図である。
【図１１】図９の例における著作権情報及び世代情報の他の重畳状態を示す波形図である。
【図１２】図９の例における著作権情報及び世代情報の他の重畳状態を示す波形図である。
【図１３】本発明により処理された映像信号の他の例を示す波形図である。
【図１４】図１３の例における著作権情報及び世代情報の重畳状態を示す波形図である。
【図１５】本発明により処理された映像信号の他の例を示す波形図である。
【図１６】図１５の例における著作権情報及び世代情報の重畳状態を示す波形図である。
【図１７】本発明により処理されたＨＤ方式の映像信号に対する著作権情報及び世代情報の重畳状態の一例を示す波形図である。
【図１８】本発明における著作権情報及び世代情報の使用態様を説明するためのブロック図である。
【図１９】本発明における著作権情報及び世代情報の他の使用態様を説明するためのブロック図である。
【図２０】本発明における著作権情報及び世代情報の他の使用態様を説明するためのブロック図である。
【図２１】本発明に係る画像情報記録装置の構成例を示すブロック図である。
【図２２】上記画像情報記録装置における制御部の動作を示すフローチャートである。
【図２３】上記著作権情報及び世代情報を記録する画像情報再生装置の構成例を示すブロック図である。
【図２４】上記画像情報再生装置における制御部の動作を示すフローチャートである。
【図２５】本発明により処理された映像信号の他の例を示す波形図である。
【図２６】図２５の例における著作権情報及び世代情報の重畳状態を示す波形図である。
【図２７】図２５の例における著作権情報及び世代情報の使用態様を説明するためのブロック図である。
【図２８】図２５の例における著作権情報及び世代情報の他の使用態様を説明するためのブロック図である。
【図２９】図２５の例における著作権情報及び世代情報の使用態様を説明するためのブロック図である。
【図３０】図２５の例の例における著作権情報及び世代情報の他の使用態様を説明するためのブロック図である。
【図３１】図２５の例における著作権情報及び世代情報の他の使用態様を説明するためのブロック図である。
【符号の説明】
１，４  テレビジョンチューナ、２，３，５，６，８  ビデオテープレコーダ、７  ビデオディスクプレーヤ、１０，２４  重畳処理部、１１  記録信号処理回路、１２  記録ヘッド、１３，２１  ビデオテープ、１４，２５  コピープロテクト情報検出部、１５，２６  制御部、１６，２７  エンコーダ、１７，２８重畳回路、１８  同期分離回路、１９  タイミングジェネレータ、２０  デコーダ、２２  再生ヘッド、２３  再生信号処理回路、３０  ビデオソース、３１，３２，３３  ビデオテープレコーダ
【図１】
0003570403.tif 000008
【図２】
0003570403.tif 000009
【図３】
0003570403.tif 000010
【図４】
0003570403.tif 000011
【図５】
0003570403.tif 000012
【図６】
0003570403.tif 000013
【図７】
0003570403.tif 000014
【図８】
0003570403.tif 000015
【図９】
0003570403.tif 000016
【図１０】
0003570403.tif 000017
【図１１】
0003570403.tif 000018
【図１２】
0003570403.tif 000019
【図１３】
0003570403.tif 000020
【図１４】
0003570403.tif 000021
【図１５】
0003570403.tif 000022
【図１６】
0003570403.tif 000023
【図１７】
0003570403.tif 000024
【図１８】
0003570403.tif 000025
【図１９】
0003570403.tif 000026
【図２０】
0003570403.tif 000027
【図２１】
0003570403.tif 000028
【図２２】
0003570403.tif 000029
【図２３】
0003570403.tif 000030
【図２４】
0003570403.tif 000031
【図２５】
0003570403.tif 000032
【図２６】
0003570403.tif 000033
【図２７】
0003570403.tif 000034
【図２８】
0003570403.tif 000035
【図２９】
0003570403.tif 000036
【図３０】
0003570403.tif 000037
【図３１】
0003570403.tif 000038